(57)【要約】【課題】現用系送信装置を予備系に切換えた時、出力信号レベルの急激な変動を抑制し、受信側装置が復調不能に陥るのを回避できる送信装置を提供する。【解決手段】現用系と予備系の伝送装置のＡＧＣ回路１１３、２１３に、互いに相手側出力の信号レベルを反転して供給できるようにしておき、現用系を予備系に切換える時、予備系の出力レベルを現用系の低下した出力信号レベルに近似させた後、系の切換えを行い、その後、予備系の出力を徐々に定格出力レベルに戻すようにしたディジタル無線伝送送信装置。【選択図】　図１
2004120345.tif 000002
【特許請求の範囲】
【請求項１】
現用系装置と予備系装置とからなり、現用系装置と予備系装置に互いに相手側の出力制御信号を反転して供給しておき、予備系装置の出力レベルを現用系装置の出力レベルに近似させた状態で系の切換を行い、系の切換え後に、予備系装置を自己の出力制御信号で制御することによって、その出力レベルを定格出力レベルに戻すようにしたことを特徴とする無線伝送送信装置。
【請求項２】
互いに同一の送信信号が入力され、それぞれが上記送信信号を周波数変換した後、電力増幅器で所要レベルに増幅して出力する現用系と予備系の１対の送信装置からなり、選択された系の出力信号を空中線から送信するようにした無線伝送送信装置において、
予備系の電力増幅器出力を現用系から供給された制御信号を利用して制御することによって、予備系の出力レベルを現用系に近似させた状態で現用系から予備系への切換えを実行し、所定時間後に予備系電力増幅器の出力制御信号を自己の制御信号に切換えるようにしたことを特徴とする無線伝送送信装置。
【請求項３】
互いに同一の送信信号が入力され、それぞれが上記送信信号を周波数変換した後、ＡＧＣ部を備えた電力増幅器で所要レベルに増幅して出力する現用系と予備系の１対の送信装置からなり、選択された系の出力信号を空中線から送信するようにした無線伝送送信装置において、
予備系の電力増幅器出力を現用系電力増幅器から得た検波信号を利用して現用系電力増幅器とは逆方向に制御し、予備系出力を現用系出力に近似させた状態で現用系から予備系への切換えを行い、所定時間後に予備系ＡＧＣ部の制御入力を予備系電力増幅器の出力に依存した制御信号に切換えるようにしたことを特徴とする無線伝送送信装置。
【発明の詳細な説明】
【０００１】
【発明の属する技術分野】
本発明は、無線伝送送信装置に関し、特に、ディジタル信号を変調し、所定の周波数に変換して伝送するディジタル無線伝送送信装置に関するものである。
【０００２】
【従来の技術】
例えば、放送中継等に用いられるディジタル無線伝送送信装置では、故障による送信の中断を避けるために現用系装置と予備系装置とを備え、通常は現用系装置で送信し、予備系装置は、現用系装置が故障した時に瞬時に切換えられるように、常時電源投入状態にしてある。
【０００３】
図３は、従来技術によるディジタル無線伝送送信装置の構成の１例を示す。
ディジタル無線伝送送信装置は、現用系のディジタル送信装置１０と予備系のディジタル送信装置２０とからなる。各ディジタル送信装置は、端子１０６、２０６から供給されたディジタル入力信号を多値ＱＡＭ変調し、ＩＦ信号を周波数変換部でＳＨＦ信号に周波数変換した後、電力増幅して空中線７から送出する。
【０００４】
現用系のディジタル送信装置１０において、１０１はディジタル入力信号を多重処理する送信伝送処理部、１０２は送信伝送処理部１０１から出力されたディジタル多重信号を変調するための多値のＱＡＭ変調部、１０３は電力増幅器１０５の出力レベルが規定値になるようにＩＦ信号レベルを制御するＡＧＣ（自動利得制御）部、１０４はＩＦ信号を局部発振信号と混合しＳＨＦ帯の周波数に変換する周波数変換部、１０５は周波数変換部１０４から出力されたＳＨＦ信号を増幅する電力増幅器である。
【０００５】
予備系のディジタル送信装置２０も上記現用系ディジタル送信装置１０と同様の構成となっており、通常、端子１０６、２０６には、それぞれのディジタル入力信号として、共通のベースバンド信号が与えられる。このように、ディジタル送信装置は、それぞれディジタル入力信号を変調し、ＳＨＦ帯の周波数に変換した後、電力増幅する現用系／予備系の１対の送信装置からなり、現用装置と予備装置の出力信号を送信装置切換器６で選択し、何れか一方の出力を送信空中線７から送出する構成となっている。
【０００６】
【発明が解決しようとする課題】
上述した従来のディジタル無線伝送装置では、例えば、回路の故障等、何らかの原因で現用系ディジタル送信装置１０のＳＨＦ出力信号レベルが低下した場合、切換器６に対して、選択入力を現用系送信装置１０の出力から予備送信装置２０の出力に切換えるための制御信号が発行され、これによって、送信空中線７の入力信号を１〜２μｓで瞬時に切換えるようになっている。この時、送信空中線７の出力信号に急激なレベル変動が発生する。
【０００７】
すなわち、従来の装置構成では、現用系装置の出力が低下して現用系装置から予備系装置に切換えた場合、送信空中線７からの送信電波強度は、現用系装置の不調で出力が低下した状態から、系の切換による瞬断を経て、予備系装置の定格出力に追従した状態へと変化するため、現用系から予備系への切換時に送信出力が急激に変動することになる。このように送信装置側の出力レベルが急変すると、受信装置側（図示せず）では、受信信号の急激なレベル変動でデータの復調が不能となり、例えば、実時間の放送実況中継中に放送が途切れる等の障害を発生する。
【０００８】
【課題を解決するための手段】
本発明の目的は、現用系装置から予備系装置への切換え時に出力信号レベルの急激な変動を抑制できる無線伝送送信装置を提供することにある。
本発明の他の目的は、受信側でのデータ復調不良を起こすことなく現用系装置から予備系装置への切換えが可能なディジタル無線伝送送信装置を提供することにある。
【０００９】
上記目的を達成するために、本発明は、現用系装置と予備系装置とからなる無線伝送送信装置において、現用系装置と予備系装置に互いに相手側の出力制御信号を供給しておき、予備系装置の出力レベルを現用系装置の出力レベルに近似させた状態で系の切換を行い、系の切換え後に、予備系装置を自己の出力制御信号で制御することによって、その出力レベルを定格出力レベルに戻すようにしたことを特徴とする。
【００１０】
本発明によれば、このように予備系装置の送信出力を現用系に近似させた状態で系の切換を行うことにより、送信出力の急激な変動を回避し、受信装置側での復調不能を防止することが可能となる。
【００１１】
【発明の実施の形態】
以下、本発明によるディジタル無線伝送送信装置の実施形態について図面を参照して説明する。
図１は、本発明によるＳＨＦ帯のディジタル無線伝送送信装置の１実施形態を示すブロック図である。
図において、１１は現用系のディジタル送信装置、２１は予備系のディジタル送信装置であり、それぞれの入力端子１０６、２０６には、例えば、ディジタル変調されたＩＦ信号が入力される。
【００１２】
１１１と２１１は、入力ディジタル信号を多重処理する送信伝送処理部、１１２と２１２は、送信伝送処理部から出力されたディジタル多重信号を変調する多値のＱＡＭ変調部、１１３と２１３は、例えば、上記ＱＡＭ変調部から出力されるＩＦ信号レベルを制御することにより、温度変化等で変動する電力増幅器１１５、２１５のＳＨＦ出力レベルを一定に保つＡＧＣ部、１１４と２１４は、ＡＧＣ部から出力されるＩＦ信号を局部発振信号と混合する周波数変換部、１１５と２１５は、上記周波数変換部から出力されるＳＨＦ周波数の信号を規定のレベルまで増幅する電力増幅器、１１６と２１６はＳＨＦ検波電圧切換器、１１７と２１７は、電力増幅器の出力検波電圧を反転増幅する周知の反転増幅器である。
【００１３】
また、７は送信空中線、８は現用系伝送装置と予備系伝送装置とを切換えるための切換え信号、９は、上記切換え信号８に従って選択入力を切換え、現用系伝送装置１１と予備系伝送装置２１の何れかの出力を空中線７に供給する送信装置切換器、１２は、上記切換え信号８を所定時間遅延し、検波電圧切換器１１６と２１６に与えるべき検波電圧切換え信号１０を生成する遅延回路である。
【００１４】
以下、図２に示す信号タイミングチャートを参照して、図１に示したディジタル無線伝送送信装置の動作を説明する。
先ず、ＳＨＦ検波電圧切換器１１６と２１６の動作について説明する。
【００１５】
検波電圧切換器１１６は、遅延回路１２から出力される切換え信号１０に応じて、接点ａに入力される現用系電力増幅器１１５の検波出力と、反転増幅器２１７を介して接点ｂに入力される予備系電力増幅器２１５の検波出力の何れかを選択し、現用系ＡＧＣ部１１３に制御信号として入力する。一方、検波電圧切換器２１６は、接点ａに入力される予備系電力増幅器２１５の検波出力と、反転増幅器１１７を介して接点ｂに入力される入力される現用系電力増幅器１１５の検波出力の何れかを選択して、予備系ＡＧＣ部２１３に制御信号として入力する。
【００１６】
図１に示したように、送信装置切換器９が現用系ディジタル送信装置１１の出力を選択している状態で、何らかの異常により電力増幅器１１５の出力電力が低下したことが検知されると、オペレータ操作によって切換信号８が出力される。送信装置切換器９は、上記切換信号８に応答して選択入力を切換え、予備系ディジタル送信装置の出力を送信空中線７に入力する状態となる。
【００１７】
この時点では、予備系のＳＨＦ検波電圧切換器２１６は、反転増幅器１１７を介して接点ｂに入力された現用系電力増幅器１１５の検波電圧を予備系ＡＧＣ回路２１３に供給した状態となっている。つまり、電力増幅器１１５の出力が低下した場合、現用系ＡＧＣ部１１３が、上記電力増幅器１１５の出力を上げる方向に利得制御しているのに対して、予備系ＡＧＣ部２１３には、上記電力増幅器１１５の出力低下が、反転増幅器１１７によって出力増加を示す信号に変換して入力されているため、予備系ＡＧＣ部２１３は、電力増幅器２１５の出力を下げる方向に利得制御している。従って、電力増幅器２１５の出力レベルは電力増幅器１１５の出力レベルに近い状態にあり、切換器９が、切換信号８に応答して出力を現用系送信装置１１から予備系送信装置２１に切換えても、空中線７の出力変動は極めて小さい。
【００１８】
上記切換信号８を遅延回路１０で所定時間遅延した信号が、ＳＨＦ検波電圧切換器１１６、２１６の切換信号１０となる。予備系のＳＨＦ検波電圧切換器２１６は、上記切換信号１０に応答して、ＡＧＣ部２１３へのフィードバック入力を接点ａの電力増幅器２１５の出力に切換える。この制御信号の切換えによって、それまで現用系電力増幅器１１５の出力に従ってＩＦ信号レベルを制御していたＡＧＣ部２１３が、電力増幅器２１５からの出力検波信号を制御信号とする本来のＡＧＣ動作に移行する。予備系の伝送装置は、ＡＧＣ部２１３のフィードバック入力が接点ａの入力に切換えられてから一定時間後、例えば、数１００ｍｓｅｃの時間をかけて、自装置の正規のフィードバック制御による出力状態に戻ることになる。
【００１９】
上記本発明の構成によれば、現用系から予備系に切換えた直後の出力変動を最小限に抑え、系を切換えてから所定時間後に予備系の出力を正規の状態に戻すようにしているため、受信側での受信電力の擾乱を回避することが可能となる。
なお、予備系から現用系への切り戻し動作も上記と同様に行うことができる。但し、予備系から現用系への復帰は、オペレータが図示しないリセットスイッチを操作したことに応答して開始されるようにしてもよい。また、現用／予備の切換え信号８は、オペレータ操作によって発生させる代わりに、例えば、異常検出回路が、電力増幅器の検波信号から異常を検出した時、自動的に発生するようにしてもよい。
【００２０】
以上の実施例では、送信装置切換器９が現用系装置の出力を選択している期間中、待機状態にある予備系のＡＧＣ部２１３が常に現用系電力増幅器の検波出力の反転信号をフィードバック信号としてＡＧＣ動作するようにしているが、通常の状態では現用系と予備系をそれぞれの出力に応じた独立のＡＧＣ制御としておき、切換信号８が発生した時、例えば、予備系を現用系の出力で制御するように制御入力の切換えを行い、予備系出力が現用系出力に近似する所定時間が経過した時点で、空中線への入力を現用装置出力から予備装置出力に切換え、その後で予備系の制御入力を再び予備系出力に切換えるようにしてもよい。
【００２１】
また、実施例ではＳＨＦ帯の送信装置について説明したが、本発明はＳＨＦ帯に限定されるものではなく、ＶＨＦ、ＵＨＦ等、他のあらゆる周波数帯の送信機に適用可能である。また、適用対象も放送用の送信機に限定されず、他の用途の無線送信機に適用できること明らかである。
【００２２】
【発明の効果】
本発明によれば、現用系の送信装置が故障して予備系の送信装置に切換えた場合でも、出力信号の急激なレベル変動を抑制できるため、受信側装置が一時的に復調不能状態に陥るのを回避できる。従って、本発明は、受信側でのデータ復調不良の発生が許されない実時間の放送実況中継用の伝送装置において特に有用となる。
【図面の簡単な説明】
【図１】本発明によるディジタル無線伝送送信装置の１実施例を示すブロック図。
【図２】図１に示したディジタル無線伝送送信装置における信号タイミング図。
【図３】従来技術によるディジタル無線伝送送信装置の１例を示すブロック図。
【符号の説明】
７：送信空中線、６、９：送信装置切換器、１０、１１：現用ディジタル送信装置、１２：遅延回路、２０、２１：予備ディジタル送信装置、
１０１、１１１、２１１：送信伝送処理部、
１０２、１１２、２１２：多値ＱＡＭ変調部、
１０３、１１３、２１３：ＡＧＣ部、１０４、１１４、２１４：周波数変換部、
１０５、１１５、２１５：電力増幅器、１１６、２１６：ＳＨＦ検波電圧切換器、１１７、２１７：反転回路。
【図１】
2004120345.tif 000003
【図２】
2004120345.tif 000004
【図３】
2004120345.tif 000005